(57)【要約】【課題】使用感が向上した電子機器を提供する。【解決手段】電子機器（１）を、筐体（１０）と、作動に伴って発熱する電子部品（５２）と、前記筐体の外観面に対向して配置され、当該対向状態を維持したまま前記筐体に対して移動可能に設けられた可動部材（６０）と、前記電子部品が発生した熱を前記可動部材に伝導する熱伝導部（６３）とを備える構成とした。【選択図】図３
2010066572.tif 000002
【特許請求の範囲】
【請求項１】
筐体と、
作動に伴って発熱する電子部品と、
前記筐体の外観面に対向して配置され、当該対向状態を維持したまま前記筐体に対して移動可能に設けられた可動部材と、
前記電子部品が発生した熱を前記可動部材に伝導する熱伝導部と
を備える電子機器。
【請求項２】
請求項１に記載の電子機器において、
前記電子部品は、前記筐体の内部に収容され、
前記熱伝導部は、前記可動部材の前記筐体に対する移動を案内する案内部材であり、前記電子部品と前記可動部材とに渡して設けられること
を特徴とする電子機器。
【請求項３】
請求項１に記載の電子機器において、
前記電子部品は、前記可動部材に設けられ、
前記熱伝導部は、前記電子部品を前記可動部材に支持する支持部材であること
を特徴とする電子機器。
【請求項４】
請求項１から請求項３までのいずれか１項に記載の電子機器において、
前記可動部材には、その表面に凹部、凸部、孔部、スリットの少なくともひとつが形成されること
を特徴とする電子機器。
【請求項５】
請求項１から請求項４までのいずれか１項に記載の電子機器において、
前記可動部材は、複数の部品を組み合わせて形成され、
前記複数の部品は、それぞれ熱伝導率が異なる材料によって形成されること
を特徴とする電子機器。
【請求項６】
請求項１から請求項５までのいずれか１項に記載の電子機器において、
前記可動部材は、前記筐体に形成された開口部を覆う第１の位置と、前記開口部を露出させる第２の位置との間を移動可能に設けられたカバー部材であること
を特徴とする電子機器。
【請求項７】
請求項６に記載の電子機器において、
前記筐体に形成された開口部には、撮影用のレンズが装着されていること
を特徴とする電子機器。
【請求項８】
請求項１から請求項７までのいずれか１項に記載の電子機器において、
前記電子部品は、発光ダイオードであること
を特徴とする電子機器。
【発明の詳細な説明】
【技術分野】
【０００１】
本発明は、電子機器に関するものである。
【背景技術】
【０００２】
従来、デジタルカメラ等の電子機器としては、電子部品が作動時に発した熱を筐体に伝えて大気中に放熱するものが知られている（例えば、特許文献１参照）。
【特許文献１】特開２００４−２４８１００号公報
【発明の開示】
【発明が解決しようとする課題】
【０００３】
従来のカメラは、筐体の表面温度が上昇するので、撮影者等のユーザが不快感を感じる可能性があった。
本発明の課題は、使用感が向上した電子機器を提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、筐体（１０）と、作動に伴って発熱する電子部品（５２）と、前記筐体の外観面に対向して配置され、当該対向状態を維持したまま前記筐体に対して移動可能に設けられた可動部材（６０）と、前記電子部品が発生した熱を前記可動部材に伝導する熱伝導部（６３）とを備える電子機器（１）である。
【０００５】
請求項２の発明は、請求項１に記載の電子機器において、前記電子部品（５２）は、前記筐体（１０）の内部に収容され、前記熱伝導部（６３）は、前記可動部材（６０）の前記筐体に対する移動を案内する案内部材であり、前記電子部品と前記可動部材とに渡して設けられることを特徴とする電子機器（１）である。
請求項３の発明は、請求項１に記載の電子機器において、前記電子部品（１５２）は、前記可動部材（１６０）に設けられ、前記熱伝導部（１５３）は、前記電子部品を前記可動部材に支持する支持部材であることを特徴とする電子機器（２）である。
請求項４の発明は、請求項１から請求項３までのいずれか１項に記載の電子機器において、前記可動部材（２６０）には、その表面に凹部、凸部、孔部、スリット（Ｓ）の少なくともひとつが形成されることを特徴とする電子機器（３）である。
請求項５の発明は、請求項１から請求項４までのいずれか１項に記載の電子機器において、前記可動部材（２６０）は、複数の部品（２６０ａ、２６０ｂ）を組み合わせて形成され、前記複数の部品は、それぞれ熱伝導率が異なる材料によって形成されることを特徴とする電子機器（３）である。
請求項６の発明は、請求項１から請求項５までのいずれか１項に記載の電子機器において、前記可動部材（６０）は、前記筐体（１０）に形成された開口部（１０ｂ）を覆う第１の位置と、前記開口部を露出させる第２の位置との間を移動可能に設けられたカバー部材であることを特徴とする電子機器（１）である。
請求項７の発明は、請求項６に記載の電子機器において、前記筐体（１０）に形成された開口部（１０ｂ）には、撮影用のレンズ（２０）が装着されていることを特徴とする電子機器（１）である。
請求項８の発明は、請求項１から請求項７までのいずれか１項に記載の電子機器において、前記電子部品は、発光ダイオード（５２）であることを特徴とする電子機器（１）である。
なお、符号を付して説明した構成は、適宜改良してもよく、また、少なくとも一部を他の構成物に代替してもよい。
【発明の効果】
【０００６】
本発明によれば、使用感が向上した電子機器を提供することができる。
【発明を実施するための最良の形態】
【０００７】
以下、図面等を参照して、本発明を適用した電子機器の実施形態であるデジタルカメラについて説明する。
図１は、実施形態のデジタルカメラの正面部を示す斜視図であり、（ａ）、（ｂ）は、スライドカバーが開位置、閉位置の状態をそれぞれ示してる。
図２は、図１に示すデジタルカメラの背面部を示す斜視図である。
図３は、図１に示すデジタルカメラの分解斜視図である。
図４は、図１に示すデジタルカメラに備えられた発光装置及びスライドガイドを示す図である。
なお、理解を容易にするため、各図にＸ軸−Ｙ軸−Ｚ軸からなる３次元座標系を設定して説明する。
【０００８】
[第１実施形態]
図１から図３までの各図に示すように、デジタルカメラ１（以下、単にカメラ１称する）は、筐体１０、撮影レンズ２０、液晶モニタ３０、操作スイッチ４０、発光装置５０、スライドカバー６０等を備えている。
筐体１０は、カメラ１の外観面を形成する部分であり、例えば、金属材料や合成樹脂材料によって略直方体の箱型に形成されている。
以下、筐体１０の面部のうち、撮影時に被写体に対向する面部を前面部１０ａと称して説明する。カメラ１は、前面部１０ａとは反対側の面部（以下、背面部と称する）が撮影時において撮影者に対向する。
【０００９】
撮影レンズ２０は、筐体１０の内部に備えられた図示しない撮像素子に被写体光を導く光学系の一部である。
筐体１０の前面部１０ａであって、カメラ１が通常位置の状態で筐体１０を撮影者側から見た場合の右側上部には、開口部１０ｂが形成されており、撮影レンズ２０は、この開口部１０ｂの内径側に固定されている。なお、カメラ１の通常位置とは、筐体１０の前面部１０ａを略鉛直にし、かつ、筐体１０の長手方向を略水平にして横長の画像を撮影する際の位置をさすものとする。
以下、本明細書において、カメラ１に備えられた各要素の配置に関する説明は、この通常位置を基準に行うものとする。また、本明細書において、上下方向、左右方向といった場合には、カメラ１を通常位置にして、被写体側の正面からみた場合の方向を意味するものとする。
【００１０】
液晶モニタ３０は、図２に示すように筐体１０の背面部に設けられ、撮影済みの画像、各種設定用のメニュー画面、スルー画像等を表示可能になっている。
操作スイッチ４０は、撮影者等のカメラのユーザ（以下、単にユーザと称する）がカメラ１に対して入力操作を行う際に操作する部分である。操作スイッチ４０には、電源のオン、オフを行う電源スイッチ４１、カメラ１に撮影動作を開始させるレリーズスイッチ４２、撮影レンズ２０の焦点距離を変更させるズームスイッチ４３、液晶モニタ３０に表示されたカーソルを移動させるセレクタスイッチ４４、各種押しボタンスイッチ４５等が含まれている。
【００１１】
発光装置５０は、撮影用の照明光を照射する部分であり、図４に示すように、図示しない電源回路に接続された基板５１と、発光素子であるＬＥＤチップ５２と、ＬＥＤチップ５２と基板５１との間に配置された放熱板金５３とを備えている。
ＬＥＤチップ５２は、基板５１から電力が供給され、この電気エネルギーを光エネルギーに変換して発光する。
放熱板金５３は、例えば、アルミニウム等の金属材料によって形成された長方形の板状部材である。ＬＥＤチップ５２は、放熱板金５３を介して基板５１に実装されている。
【００１２】
スライドカバー６０は、撮影レンズ２０や発光装置５０を保護する板状の部材である。
スライドカバー６０は、筐体１０の前面部１０ａに対向して配置され、この対向状態を維持したまま、撮影レンズ２０及び発光装置５０を覆う閉位置（図１（ｂ）参照）と、筐体１０に対して移動して撮影レンズ２０及び発光装置５０を露出させる開位置（図１（ａ）参照）との間を移動可能になっている。スライドカバー６０の移動は、ユーザが手動で行う。
なお、本実施形態のスライドカバー６０の移動方向は、左右方向となっているが、これに限らず、例えば、上下方向でもよい。
【００１３】
スライドカバー６０は、図３の分解斜視図に示すように、本体部６１、ベースフレーム６２、及び、スライドガイド６３を備えている。
本体部６１は、筐体１０とともにカメラ１の外観面を形成する長方形の板状部材である。本体部６１は、例えば、アルミニウム等の金属材料によって形成されている。
【００１４】
ベースフレーム６２は、本体部６１の裏面部（筐体１０に対向する側の面部）に装着された板状の部材であり、例えば、両面テープによって本体部６１に取り付けられている。ベースフレーム６２は、後述するスライドガイド６３の案内爪６５との摺動性を考慮して、摺動性に優れた材料（例えば、合成樹脂材料）によって形成されている。ベースフレーム６２には、筐体１０の長手方向と平行に延在する２本のガイド溝６２ａが形成されている。ベースフレーム６２と筐体１０の前面部１０ａとの間には、ベースフレーム６２の筐体１０に対するスライドを許容するための隙間が形成されている。
【００１５】
スライドガイド６３は、本体部６１及びベースフレーム６２の移動方向をカメラ１の長手方向に案内するガイド部材であり、例えば、アルミニウム等の金属材料の板材をプレス加工して形成されている。
本願は、スライドカバーから放熱することが特徴なので、スライドガイドから筐体に熱が伝わらない構成にする必要がある。例えば、スライドガイドと筐体の間に断熱材を挟む、スライドガイドと筐体との間に隙間を設ける、筐体自体を熱伝導率の低い材料で形成する等が考えられる。
スライドガイド６３は、図４に示すように、基部６４、案内爪６５、及び、接続部６６を備えている。
基部６４は、スライドガイド６３のベースとなる部分であり、筐体１０の前面部１０ａにビスＶによって固定されている（図３参照）。基部６４は、長方形に形成されており、その長手方向は、筐体１０の長手方向に平行となっている。
【００１６】
案内爪６５は、ベースフレーム６２に形成されたガイド溝６２ａに挿入されて機械的に係合する部分であり、基部６４の上端部、下端部からそれぞれ被写体側（スライドカバー６０の本体部６１側）に突き出して形成されている。案内爪６５は、基部６４の長手方向の両端部にそれぞれ形成されており、合計４本が設けられている。案内爪６５の先端部は、板バネとして機能し、それぞれがスライドカバー６０の本体部６１の裏面部に接触している。
【００１７】
接続部６６は、基部６４の右端部（筐体１０の開口部１０ｂに近接する側の端部）と、発光装置５０の放熱板金５３とに渡して設けられた部分である。接続部６６は、筐体１０の前面部１０ａに直交する方向に折り曲げられて形成され、筐体１０前面部１０ａを貫通する貫通部６６ａと、基部と平行に設けられ、放熱板金５３に装着された装着部６６ｂとを備えている。装着部６６ｂは、正面視でコ字（Ｕ字）状に形成され、ＬＥＤチップ５２を囲んだ状態で放熱板金５３に対し、例えば、両面テープ等によって装着されている。
このように、スライドガイド６３は、一端が発光装置５０の放熱板金５３に接続され、他端が可動部材であるスライドカバー６０の本体部６１に接触しており、放熱板金５３と本体部６１とに渡して設けられている。
【００１８】
カメラ１は、撮影時に発光装置５０によって照明光を照射させると、発光装置５０に備えられたＬＥＤチップ５２が発熱する。
本実施形態のカメラ１において、ＬＥＤチップ５２が発生する熱は、放熱板金５３、及び、スライドガイド６３を介してスライドカバー６０の本体部６１に伝わり、本体部６１の表面から大気中に放熱される。
【００１９】
以上説明した、第１実施形態のカメラ１によれば、以下の効果を得ることができる。
（１）ＬＥＤチップ５２の熱を大気中に放熱させる方法としては、熱を筐体１０に伝え、筐体１０から放熱することも考えられる。しかし、筐体１０はカメラ１を操作する際にユーザが必ず触れる部分であるので、筐体１０の表面温度が上昇するとユーザに不快感（例えば、故障と誤認する等）を与えるおそれがある。また、ユーザが筐体１０の熱を帯びた部分に触れないようにするために、例えば、スライドカバー６０に覆われる部位にＬＥＤチップ５２の熱を伝えることも考えられる。しかし、この場合、筐体１０がスライドカバー６０に覆われているので、放熱効率が悪い。また、この結果、筐体１０及びスライドカバー６０の両方の温度が全体的に高くなり、撮影者に不快感を与えるおそれがある。
これに対し、本実施形態のカメラ１は、スライドカバー６０にのみＬＥＤチップ５２の熱を伝達させるので、ユーザがカメラ１の使用時（撮影動作を行っている時）に触れる可能性が低く、ユーザの使用感が向上する。また、撮影状況やユーザの撮影スタイルによっては、スライドカバー６０に触れながらカメラ１を使用することも考えられるが、この場合であっても、スライドカバー６０が放熱部材であることが予め分かっており、かつ、筐体の温度は上昇しないので、ユーザがカメラ１の故障と誤認することがない。
【００２０】
（２）スライドカバー６０のスライド動作を案内するスライドガイド６３を熱伝導部として用いたので、スペース効率がよい。
（３）スライドカバー６０と筐体１０の前面部１０ａとの間には、隙間が形成されているので、スライドカバー６０の前面部及び後面部の両方から放熱でき、効率がよい。
（４）スライドカバー６０を筐体１０に対してスライドさせる際に、スライドカバー６０の表面に強制対流が発生するので、効率よく放熱を行うことができる。
【００２１】
［第２実施形態］
次に、本発明を適用した電子機器の第２実施形態であるカメラについて説明する。この第２実施形態及び以下に説明する他の実施形態において、上述した第１実施形態と同様な機能を果たす部分には、同一の符号又は末尾に統一した符号を付して、重複する説明や図面を適宜省略する。
【００２２】
図５は、第２実施形態のカメラ２を示す斜視図である。
第１実施形態のカメラ１は、発光装置５０が筐体１０の内部に設けられていたの対し、第２実施形態のカメラ２は、発光装置１５０がスライドカバー１６０の内部に設けられている点が異なる。すなわち、第２実施形態のカメラ２は、発光装置１５０が筐体１１０に対してスライドカバー１６０と一体に移動するようになっている。
【００２３】
図６は、図５に示すカメラに備えられたスライドカバーの内部構造を示す図である。
ＬＥＤチップ１５２は、金属材料によって形成された放熱板金１５３に支持されている。ＬＥＤチップ１５２と放熱板金１５３とは、スライドカバー１６０の内部に形成された空間部に収容されている。
放熱板金１５３は、左端部、及び、下端部から前方（被写体側）に突き出して形成された２つの接触部１５３ａを備えており、この接触部１５３ａの先端部がスライドカバー１６０に接触している。
【００２４】
第２実施形態のカメラ２は、ＬＥＤチップ１５２が発光に伴って発熱すると、この熱は、放熱板金１５３を介してスライドカバー１６０に伝わり、スライドカバー１６０の前面部から大気中に放熱される。
以上説明した第２実施形態のカメラ２も、第１実施形態のカメラ１と同様の効果を得ることができる。
【００２５】
［第３実施形態］
次に、本発明を適用した電子機器の第３実施形態であるカメラについて説明する。
図７は、第３実施形態のカメラを示す斜視図である。
第３実施形態のカメラ３は、スライドカバー２６０を除き第１実施形態にカメラ１と同様の構成となっている。第３実施形態において、スライドカバー２６０は、左端部を含む一部（図７に符号２６０ａを付す）が他の部分（図７に符号２６０ｂを付す）に比べて熱伝導率の低い別の材料（例えば、チタン合金等）で形成されている。
カメラ３を用いて撮影を行う場合、スライドカバー２６０を開位置に移動させる必要がある。そして、本実施形態のスライドカバー２６０は、図１に示すように、伝導率の低い別の材料で形成された部分２６０ａが開位置において筐体１０の左端部と重なる。
【００２６】
カメラ３は、レリーズスイッチ４２が筐体１０の天面の左端部に設けられているので、撮影時にはユーザが筐体１０の左端部を把持することが想定される。第３実施形態のカメラ３は、スライドカバー２６０の一部であって、撮影時にユーザが触れる可能性のある部分に熱伝導性の低い材料を用いたので、この部分２６０ａにはＬＥＤチップ５２の熱が伝わりにくい。したがって、仮に撮影時にユーザがスライドカバー２６０に触れた場合であっても、ユーザに不快感を与えることがない。
【００２７】
また、第３実施形態のカメラのスライドカバー２６０は、その前面部にスリットＳが形成されている。スリットＳは、上下方向に延在して設けられ、スライドカバー２６０の移動方向に沿って複数本が形成されている。
第３実施形態のカメラ３は、放熱部材として機能するスライドカバー２６０にスリットＳを設けてその表面積を増やしたので、放熱効率が向上する。また、スリットＳは、スライドカバー２６０の移動方向に直交する方向に延在しているので、スライドカバー２６０を開閉操作する際の滑り止めとしても機能する。また、スリットＳをスライドカバー２６０の外観上のアクセントとすることができ、外観品質を向上できる。
【００２８】
［変形形態］
本発明は、以上説明した実施形態に限定されることなく、以下に示すような種々の変形や変更が可能であって、これらも本発明の技術的範囲内に含まれる。
（１）本発明の電子機器は、実施形態においてデジタルカメラを例に挙げて説明したが、これに限られず、電気エネルギーを光エネルギーや運動エネルギーに変換する際に発熱する電子部品を備えるものであれば、携帯電話やＰＤＡ等の他の電子機器でもよい。また、電子部品は、電気エネルギーを直接熱エネルギーに変換するものであってもよい。
（２）実施形態において、電子部品は、ＬＥＤチップであったが、これに限らず、例えば、キセノンランプのような発熱体であってもよい。
（３）実施形態は、カバー本体から放熱を行ったが、これに限らず、例えば、スライドカバーのベースフレームも金属材料等の比較的熱伝導率の高い材料で形成し、カバー本体及びベースフレーの両方から放熱を行ってもよい。
（４）実施形態の可動部材は、閉位置で撮影レンズを保護するスライドカバーであったが、可動部材は、筐体に対して対向状態で移動可能であれば、このような保護部材でなくてもよい。また、その移動形態もスライド（平行移動）に限られず、回転移動等であってもよい。
（５）第３実施形態は、スライドカバーにスリットを形成したが、これに限らず、凹部、凸部、孔部等を形成してもよい。これらの場合であっても、スライドカバーの表面積が大きくなるので、放熱効率が向上する。
（６）発熱部材と熱伝導部材、熱伝導部材と可動部材との接続部に、熱伝導グリスを入れたり、これらを熱伝導テープで接着してもよい。
【図面の簡単な説明】
【００２９】
【図１】第１実施形態のカメラの正面部を示す斜視図である。
【図２】図１に示すカメラの背面部を示す斜視図である。
【図３】図１に示すカメラの分解斜視図である。
【図４】図１に示すカメラに備えられた発光装置及びスライドガイドを示す図である。
【図５】第２実施形態のカメラを示す斜視図である。
【図６】図５に示すカメラに備えられたスライドカバーの内部構造を示す図である。
【図７】第３実施形態のカメラを示す斜視図である。
【符号の説明】
【００３０】
１  カメラ  ：  １０  筐体  ：  ５０  発光装置  ：  ５２  ＬＥＤチップ  ：  ６０  スライドカバー  ：  ６３  スライドガイド
【図１】
2010066572.tif 000003
【図２】
2010066572.tif 000004
【図３】
2010066572.tif 000005
【図４】
2010066572.tif 000006
【図５】
2010066572.tif 000007
【図６】
2010066572.tif 000008
【図７】
2010066572.tif 000009